(57)【要約】      （修正有）【課題】害虫を寄せ付けない密封性と強度を備え、かつ十分な透光性を保持した果実袋を提供する。【解決手段】表裏２枚の方形の上辺幅方向中央の所定幅が上方に延設された帯紐１２を備え、底辺、側辺および上辺の前記帯紐部を除いた領域が溶着あるいは折込みで表裏が連続する袋体となし、胴部１１の容積が成果より大きく、前記帯紐に対応する開口部１３の径が幼果が入る大きさとした。胴部には、少なくとも１箇所の切り込みを入れて、通気穴兼排水穴となす。【選択図】図１
2019201573.tif 000002
【特許請求の範囲】
【請求項１】
表裏２枚の方形の上辺幅方向中央の所定幅が上方に延設された帯紐を備え、底辺、側辺および上辺の前記帯紐部を除いた領域が溶着あるいは折込みで表裏が連続する胴部となし、当該胴部の容積が成果より大きく、前記帯紐の内側に形成される開口部の径が幼果が入る大きさとした果実袋。
【請求項２】
前記胴部には、少なくとも１箇所の切り込みを入れて、通気穴兼排水穴となす請求項１に記載の果実袋。
【請求項３】
請求項１、または請求項２記載の果実袋を用いて、当該果実袋の帯紐の内側に形成される開口部から幼果を挿入し、実柄部で、前記表裏の帯紐を連結して前記胴部を封止し、更に、前記表裏の帯紐を枝の上で連結することを特徴とする果実袋の取り付け方法。
【請求項４】
前記表裏２枚の帯紐の結び又は溶着によって、実柄部での帯紐の連結を形成し、更に、前記表裏２枚の帯紐の結び又は溶着によって、枝の上での帯紐の連結を形成する請求項３に記載の果実袋の取り付け方法。
【発明の詳細な説明】
【技術分野】
【０００１】
本発明はいわゆる袋掛けに用いる果実袋に関するものである。
【背景技術】
【０００２】
果樹栽培において、果実は結実してからそのまま放置しておくと、種々の原因で腐敗することが多い。特に果実の柔らかいイチジク等にそのような現象が顕著に見られる（非特許文献１参照）。多くは虫や昆虫が媒介する菌、雨で跳ね上がって葉等に付着する地中の菌、等が原因である。このような現象を回避するために消毒作業や、袋掛け作業がなされるのであるが、消毒は、農薬を使用する関係上、消費者に一定の壁がある。
【先行技術文献】
【非特許文献】
【０００３】
【非特許文献１】イチジク病害図鑑（平成18年6月：愛知県農業試験場）
【発明の概要】
【発明が解決しようとする課題】
【０００４】
果実の生育過程で、あるいは収穫前の決められた時期に、農薬を使用して病原菌を死滅させることが通常実施されるが、農薬に対する消費者の危惧を排除することができず、見た目の商品価値は上がっても、心理的な不安を解消することはできない。
【０００５】
袋掛けをしておくと、昆虫や虫の寄付きがすくなくなり、果実に上記のような菌が付着することは少なくなって、結果として短期間で腐敗する果実は少なくなるが、完全ではない。
【０００６】
袋掛けが完全ではない理由のひとつとして、取り付け作業に手間がかかる他、果柄部の取り付け部が完全に封止状態に至らずに、隙間があく。その隙間から害虫が入って菌を運ぶことが多い。雨で濡れた紙は破れやすくなっており、例えば枝に触れた状態で風が吹くと、すぐに敗れることになり、また、乾いた状態であっても甲虫等に噛まれると破れることになる。
【０００７】
通気性を重視して紙の袋を使用しているのであるが、紙であると逆に透光性が劣り、リンゴの場合、色付きを良くするために、出荷前の一定期間前に袋をはずすことになる。この作業は手間がかかる上に、外している期間に病原菌や害虫にさらされる。また、鳥や甲虫よって果実が傷つけられ破れることも多く、破れるとハエや蜂等の運ぶ菌が付着し腐敗に進むことになる。特にスリップスは等の害虫は２〜３ミリの隙間でもすり抜けて袋内に侵入して果実を齧ることから、果実の質に及ぼす影響は大きい。
【０００８】
また、紙袋では強度の劣化の進行がはやく強度が不足することが発生する。従って、枝に結束したとしても、台風の強風での果実の落下は避けられない。また、不透明であるため果実の状態を目で観察することが困難であり、農薬を散布したときに、農薬が紙に吸着されて果実に接触し吸収されるおそれがある。
【０００９】
紙に代えてナイロン・ポリウレタン製の市販のストッキングを袋状に加工して果実に被せることが提案されている。この方法は、ストッキング自体が網目でありアザミウマのような極小な昆虫はすり抜けて内部に入ることができるので、効果は限定的である。
【００１０】
方形の単純な形状の合成樹脂シートを果実に被せて枝にくくりつけることも現実に行われているが、この形状の袋では、ハエや蜂、スリップスの侵入する隙間ができるので、効果は限定的である。特に、合成樹脂であっても薄い材質（0.2mm以下）を用いると、甲虫が齧ると破れるので、さらに効果は限定的である。
【００１１】
本発明は、上記従来の事情に鑑みて提案されたものであって、害虫を寄せ付けない密封性と強度を備え、かつ十分な透光性を保持した果実袋を提供することを目的とする。
【課題を解決するための手段】
【００１２】
本発明は、表裏２枚の方形の上辺幅方向中央の所定幅が上方に延設された帯紐を備え、底辺、側辺および上辺の前記帯紐部を除いた領域が溶着あるいは折込みで表裏が連続する胴部となし、当該胴部の容積が成果より大きく、前記帯紐の内側に形成される開口部の径が幼果が入る大きさとした果実袋である。
【００１３】
前記胴部には、少なくとも１箇所の切り込みを入れて、通気穴兼排水穴となす。
【００１４】
前記の果実袋を用いて、当該果実袋の帯紐の内側に形成される開口部から幼果を挿入し、実柄部で、前記表裏の帯紐を連結して前記胴部を封止し、更に、前記表裏の帯紐を枝の上で連結する。前記表裏2枚の帯紐の結び又は溶着によって、実柄部での帯紐の連結を形成し、更に、前記表裏2枚の帯紐の結び又は溶着によって、枝の上での帯紐の連結を形成する。
【発明の効果】
【００１５】
上記果実用袋を用いて上記の方法で袋掛けをすると、開口部が完全に封止されるので、ハエやスリップス等の虫が入りにくく、虫の運ぶ病原菌による腐敗がなく、樹脂シートであるので丈夫であり、風雨に耐え、更に透明であるので透光性に優れているので、成果に育ったときの見栄えもよく不良率がほぼ０％に近くなる効果がある。
【図面の簡単な説明】
【００１６】
【図１】本発明の袋の平面図である。
【図２】本発明の袋の使用手順を示すフロー図である。
【図３】本発明の袋の使用手順を示す別のフロー図である。
【発明を実施するための形態】
【００１７】
図１は本発明の袋を示すものである。
【００１８】
ビニール、ナイロン等の透明、半透明の表裏２枚の方形の胴部１１の上辺幅方向中央から、所定幅の帯紐１２を立ち上げた形状である。底辺１１ａと側辺１１ｂは溶着（太線）あるいは折り込み（細線）によって、表裏が連続しており、上辺１１ｃも前記帯紐１２の立ち上げ部を除いて溶着して封止される。底辺１１ａ、側辺１１ｂ、および前記上辺１１ｃの溶着部で形成される胴部１１の容積は、成果より大きく、上部の帯紐１２の内側に形成される開口部１３の径は幼果が入る大きさとする。
【００１９】
胴部１１の大きさについて“成果より大きく”であるから、果実の種類によって異なることになるが、現実には大、中、小の３種程度を用意する。表裏の帯紐１２の内側の開口部１３の開口径は“幼果が入る大きさ”であり、この大きさも果実の種類に依存することになるが、３０ｍｍ以下となる。この場合も前記胴部１１の大、中、小の大きさに対応して、例えば３０ｍｍ、２０ｍｍ、１０ｍｍを用意することが好ましい。
【００２０】
通気性と排水性を確保するために、胴部１１の少なくとも一箇所に小穴あるいはスリット１３を形成しておく。
【００２１】
上記の構成の果樹袋の使用方法について以下に説明する。
【００２２】
図２（ａ）に示すように、まず、花が受粉して幼果Ａが形成されたとき、前記上記の開口部１３より当該幼果Ａを包むように、当該果樹袋１０に入れる。この状態で、図２（ｂ）に示すように、帯紐１２を当該幼果が付いている枝Ｃの下側の果柄Ｂの部分で一旦結んで、結びＸを形成し、胴部１１を封止する。ついで、図２（ｃ）に示すように、前記表裏２枚の帯紐１２の結びの先端を枝Ｃを挟むように上側に回して、枝Ｃの上で再び結んで、結びＹを形成する。
【００２３】
前記結びＸ（連結）によって、胴部１１の上端は封止され、スリップス類、ハエ類、蜂類等の虫が胴部１１に侵入することは全くなく、従って、これらが運ぶ菌による腐敗の発生はない。またナイロン等の強度の高い材質のシートを用いているので甲虫等が齧っても破れることはなく、更に、前記結びＹ（連結）によって、果実の重量を吊り下げるようになっているので、成果になった果実の重量が増えた状態で大雨に遭遇、あるいは強い風が吹いても果実が落下する確率は極めて小さくなる。
【００２４】
尚、通気兼排水穴（スリット）１３を設けない場合は、内部に水が溜まる場合があるが、この溜水は果実の品質に影響を与えないことも確認した。但し、この場合溜水の重みが枝に掛ることになり、枝の負担が大きくなる。
【００２５】
図３（ｂ）は、前記果柄Ｂの部分での結びＸに代えて、果柄Ｂの部分を残して溶着部１５（連結）を形成したものである。前記溶着部１５は、胴部１１の上辺１１ｃに対応して、表裏の帯紐１２の開口部１３をより狭くするように設け、これによって、表裏の帯紐１２の間から前記害虫、菌等が侵入することが防止できる。更に、図３（ｃ）は図２の枝Ｃの上で溶着部１６（連結）を形成し前記上の結びＹと同様の吊り下げ効果を持たせたものである。
【００２６】
以上、表裏の帯紐１２の間の開口部１３を連結する方法として、結びや溶着を用いたが、他の手段、例えば事務用のホッチキスを用いることでもよい。また、枝Ａの上での帯紐１２の連結の方法も結びや溶着に買えて他の方法を用いることもできる。
【実施例１】
【００２７】
表１はイチジク「桝井ドーフィン」に対して本発明の果樹袋で袋掛けした例について、スリップス被害の発生を程度別に表した他、実重、着色割合、糖度を示すものである。平成16年6月23日に、頭径が１０〜３０ｍｍの果実に本願発明の袋掛けをし、収穫までそのままの状態を維持した果実について、袋掛けをしない場合とでのスリップスの発生について比較したものである。
【００２８】
本願発明に係る果樹袋を掛けた場合には、２５サンプルすべてについてスリップス被害はなかった。これに対して袋掛けしない場合は２２サンプル中被害のなかったのは７サンプルのみで、後は程度の差はあるがなんらかのスリップス被害があった。
【００２９】
スリップス被害の程度は、収穫後の果実を割って、内部の褐変程度で判断（被害程度０：無し、１：軽微な褐変、２：１／２以下の褐変、３：１／２以上の褐変、４：黒変）
【００３０】
【表１】
2019201573.tif 000003
【実施例２】
【００３１】
表２は蓬莱柿に対して本発明の果樹袋で平成16年7月下旬に袋掛けし9月4日に収穫した例について、生育過程でのショウジョウバエの影響で発生する腐敗果数等について観察した結果である。本発明による袋を掛けた場合には腐敗確率はゼロであったのに対して、袋掛けをしない場合には１４％もの腐敗があった。
【００３２】
【表２】
2019201573.tif 000004
【実施例３】
【００３３】
実施例２で収穫した蓬莱柿を５℃で６日間貯蔵した後に果頂部にカビが発生したもの、あるいは水浸状になったものを腐敗果として、その割合を観察した。有袋果は収穫時までカビ菌を野路していないせいか、腐敗果はゼロであった。
【００３４】
【表３】
2019201573.tif 000005
【産業上の利用可能性】
【００３５】
以上説明したように、本発明は、害虫や菌の侵入をほぼ完全に防止できるので、出荷時まで果実が腐敗することないので、果実農園、家庭菜園での利用でも大いに効果を挙げることができる。
【符号の説明】
【００３６】
１０・・果樹袋
１１・・胴部
１１ａ・・底辺、１１ｂ・・側辺、１１ｃ・・上辺
１２・・帯紐
１３・・開口部
１４・・スリット
１５、１６・・溶着部
Ａ・・果実、Ｂ・・実柄、Ｃ・・枝
Ｘ、Ｙ・・結び
【図１】
2019201573.tif 000006
【図２】
2019201573.tif 000007
【図３】
2019201573.tif 000008